(57)【要約】【課題】毎回の使用開始時に、転写ヘッドにおける転写テープの塗膜切れによる被転写面への非転写部の発生を確実に防止するとともに、空滑りをなくすことができるようにした塗膜転写具を提供する。【解決手段】ケース本体１の前端部に、転写ヘッド１５を覆う状態の前進位置と、転写ヘッド１５を露出させる状態の後退位置との間で前後方向に摺動自在とした保護カバー９を設け、この保護カバー９を、ばね２０によって前進位置方向に付勢するとともに、ケース本体１内に、転写テープＴが転写ヘッド１５に向けて繰り出されるテープ繰出手段７を設け、このテープ繰出手段７を、保護カバー９を後退位置に移動させる駆動手段２１に連動させ、使用開始時に、前記駆動手段を操作することにより、転写テープＴを転写ヘッド１５に向けて繰り出しうるようにした塗膜転写具とする。【選択図】図４
2008087426.tif 000002
【特許請求の範囲】
【請求項１】
ケース本体内に、供給リールが装着される第１歯車と、この第１歯車と連動し、かつ巻取リールが装着される第２歯車とを設け、供給リールに巻回した転写テープを、ケース本体の前端開口から突出させた転写ヘッドを経て、巻取リールに巻き取るようにした塗膜転写具において、
ケース本体の前端部に、転写ヘッドを覆う状態の前進位置と、転写ヘッドを露出させる状態の後退位置との間で前後方向に摺動自在とした保護カバーを設け、この保護カバーを、ばねによって前進位置方向に付勢するとともに、
ケース本体内に、転写テープが転写ヘッドに向けて繰り出されるテープ繰出手段を設け、このテープ繰出手段を、保護カバーを後退位置に移動させる駆動手段に連動させて、使用開始時に、前記駆動手段を操作することにより、転写テープを転写ヘッドに向けて繰り出しうるようにしたことを特徴とする塗膜転写具。
【請求項２】
駆動手段を、ケース本体の前端部外周に上方に向けて突出させて設けた上下動自在な押込み部材と、この押込み部材が摺接しうるように、保護カバーに一体的に設けた前方に向けて下降傾斜する摺接面とにより構成し、前記押込み部材を下方に押込むことにより、保護カバーをばねの付勢力に抗して、後退位置に移動させうるようにしたことを特徴とする請求項１記載の塗膜転写具。
【請求項３】
テープ繰出手段を、少なくとも保護カバーの前後方向の移動に連動するラックと、保護カバーの後退位置への移動時には、前記ラックと第１歯車に噛合し、かつ保護カバーの前進位置への移動時には、第１歯車と噛合しないピニオンとを含む構成としたことを特徴とする請求項１または２に記載の塗膜転写具。
【請求項４】
ピニオンを、保護カバーの後退位置で、ラックから離脱するようにしたことを特徴とする請求項３記載の塗膜転写具。
【請求項５】
ピニオンを、ラックとの離脱後に、第１歯車から、保護カバーが前進位置にあるときに、ピニオンが位置していた元の位置に向けて離脱可能としたことを特徴とする請求項４記載の塗膜転写具。
【発明の詳細な説明】
【技術分野】
【０００１】
本発明は、不使用時において、転写テープを保護する保護カバーを設けた塗膜転写具に係り、特に、使用開始時に、転写ヘッドにおける転写テープの塗膜切れを防止することができるようにした塗膜転写具に関する。
【背景技術】
【０００２】
塗膜転写具においては、ケース本体内に、供給リールと巻取リールを設け、供給リールに巻回した転写テープを、ケース本体の前端開口から突出させた転写ヘッドの転写ローラを経て、巻取リールに巻き取るようにするとともに、ケース本体の前端部に、転写ヘッドを覆う保護カバーを設け、この保護カバーを、転写ヘッドを覆う状態の前進位置と、転写ヘッドを露出させる状態の後退位置との間で前後方向に摺動自在に設けるとともに、ばねによって前進位置方向に付勢したものは公知である（例えば、特許文献１）。
【０００３】
このような塗膜転写具は、使用時に、保護カバーを、転写時の被転写面に対する押圧作用により、ばねの付勢力に抗してケース本体内に後退させ、転写テープを転写ヘッドと共に露出させることにより、使用可能としている。
他方、不使用時においては、保護カバーを、ばねの付勢力により前進させて、転写ヘッドを覆い、これによって、転写テープを保護するとともに、誤って他の箇所に塗膜が転写されるのを防止している。
【０００４】
しかし、上記従来の塗膜転写具では、使用時に、転写ヘッドを被転写面に押圧しながらスライドさせた際に、被転写面と転写テープに塗布された塗膜間に生じる摩擦抵抗により、供給リールから転写テープを引き出すことによって、転写を行っているから、転写中、供給リールに巻回された転写テープの層間における塗膜の粘着力による摩擦抵抗により、供給リールと転写ローラ間の転写テープに引張力が作用し、転写テープは伸びた状態となって引き出される。
そのため、転写終了後に、転写ヘッドを被転写面から離すと、伸びた転写テープは復元するように収縮して、供給リールの方向に戻ってしまい、転写ローラ上には、塗膜が剥離されたテープしか残らない。
そのため、次の使用開始時に、転写ヘッドに、転写テープの塗膜切れが生じ、転写ヘッドを被転写面に押し付けても、テープ上に塗膜がないため、被転写面に、テープ戻り分に応じた非転写部が生じたり、空滑りの要因となるという問題があった。
【特許文献１】特開２００４−２６８３２２号公報
【発明の開示】
【発明が解決しようとする課題】
【０００５】
本発明は、従来の技術の有する上記の問題点に鑑み、毎回の使用開始時に、転写ヘッドにおける転写テープの塗膜切れによる被転写面への非転写部の発生を確実に防止するとともに、空滑りをなくすことができるようにした塗膜転写具を提供することを目的とする。
【課題を解決するための手段】
【０００６】
本発明によると、上記課題は次のようにして解決される。
（１）  ケース本体内に、供給リールが装着される第１歯車と、この第１歯車と連動し、かつ巻取リールが装着される第２歯車とを設け、供給リールに巻回した転写テープを、ケース本体の前端開口から突出させた転写ヘッドを経て、巻取リールに巻き取るようにした塗膜転写具において、ケース本体の前端部に、転写ヘッドを覆う状態の前進位置と、転写ヘッドを露出させる状態の後退位置との間で前後方向に摺動自在とした保護カバーを設け、この保護カバーを、ばねによって前進位置方向に付勢するとともに、ケース本体内に、転写テープが転写ヘッドに向けて繰り出されるテープ繰出手段を設け、このテープ繰出手段を、保護カバーを後退位置に移動させる駆動手段に連動させて、使用開始時に、前記駆動手段を操作することにより、転写テープを転写ヘッドに向けて繰り出しうるようにする。
【０００７】
（２）  上記（１）項において、駆動手段を、ケース本体の前端部外周に上方に向けて突出させて設けた上下動自在な押込み部材と、この押込み部材が摺接しうるように、保護カバーに一体的に設けた前方に向けて下降傾斜する摺接面とにより構成し、前記押込み部材を下方に押込むことにより、保護カバーをばねの付勢力に抗して、後退位置に移動させうるようにする。
【０００８】
（３）  上記（１）項または（２）項において、テープ繰出手段を、少なくとも保護カバーの前後方向の移動に連動するラックと、保護カバーの後退位置への移動時には、前記ラックと第１歯車に噛合し、かつ保護カバーの前進位置への移動時には、第１歯車と噛合しないピニオンとを含む構成とする。
【０００９】
（４）  上記（３）項において、ピニオンを、保護カバーの後退位置で、ラックから離脱するようにする。
【００１０】
（５）  上記（４）項において、ピニオンを、ラックとの離脱後に、第１歯車から、保護カバーが前進位置にあるときに、ピニオンが位置していた元の位置に向けて離脱可能とする。
【発明の効果】
【００１１】
本発明によると、次のような効果が奏せられる。
請求項１記載の発明によると、ケース本体の前端部に、転写ヘッドを覆う状態の前進位置と、転写ヘッドを露出させる状態の後退位置との間で前後方向に摺動自在とした保護カバーを設け、この保護カバーを、ばねによって前進位置方向に付勢するとともに、ケース本体内に、転写テープが転写ヘッドに向けて繰り出されるテープ繰出手段を設け、このテープ繰出手段を、保護カバーを後退位置に移動させる駆動手段に連動させて、使用開始時に、前記駆動手段を操作することにより、転写テープを転写ヘッドに向けて繰り出しうるようにしてあるため、毎回の使用開始時、駆動手段を操作することにより、保護カバーが前進位置から後退位置に向けて移動し、転写テープを転写ヘッドに向けて自動的に繰り出すことができ、被転写面への非転写部の発生を確実に防止することができるとともに、空滑りをなくすことができる。
【００１２】
請求項２記載の発明によると、駆動手段を、ケース本体の前端部外周に上方に向けて突出させて設けた上下動自在な押込み部材と、この押込み部材が摺接しうるように、保護カバーに一体的に設けた前方に向けて下降傾斜する摺接面とにより構成し、前記押込み部材を下方に押込むことにより、保護カバーをばねの付勢力に抗して、後退位置に移動させうるようにしてあるため、駆動手段を比較的に簡単な構造で構成することができるとともに、毎回の使用開始時に、押込み部材を、単に下方に押し込むことにより、保護カバーを確実に後退位置に移動させて、転写テープを転写ヘッドに向けて繰り出すことができる。
【００１３】
請求項３記載の発明によると、テープ繰出手段を、少なくとも保護カバーの前後方向の移動に連動するラックと、このラックに保護カバーの前進時に噛合し、かつ保護カバーの後退時に、ラックの移動によって第１歯車に噛合しうるように移動可能なピニオンとを含む構成としてあるため、駆動手段を比較的に簡単な構造で構成することができるとともに、毎回の使用開始時に、押込み部材を、単に下方に押し込むことにより、保護カバーを確実に後退位置に移動させて、転写テープを転写ヘッドに向けて繰り出すことができる。
【００１４】
請求項４記載の発明によると、ピニオンを、保護カバーの後退位置でラックから離脱させるようにしているため、毎回の使用開始時における転写テープの転写ヘッドへの繰り出しを、スムーズに行うことができる。
【００１５】
請求項５記載の発明によると、ピニオンを、ラックとの離脱後に、第１歯車から、保護カバーが前進位置にあるときに、ピニオンが位置していた元の位置に向けて離脱可能としてあるため、次の使用開始時における転写テープの転写ヘッドへの繰り出しを、スムーズに行うことができる。
【発明を実施するための最良の形態】
【００１６】
以下、本発明の実施形態を、添付図面を参照して説明する。
図１は、本発明の一実施形態の塗膜転写具における不使用時の転写ヘッドの保護状態を示す斜視図、図２は、同じく、一部破断して示す斜視図、図３は、同じく、下から見上げた状態の斜視図、図４は、同じく、縦断側面図、図５は、使用開始時における転写ヘッドの半露出状態を示す斜視図、図６は、同じく、縦断側面図、図７は、使用時における転写ヘッドの露出状態を示す斜視図、図８は、同じく、縦断側面図である。
【００１７】
本発明の塗膜転写具は、図１〜図４に示すように、合成樹脂によって円筒状に形成されたケース本体１内の後部に、図２、図４に示すように、転写テープＴを巻回した供給リール２が装着される第１歯車３、転写後の転写テープＴを巻き取る巻取リール４が装着される第２歯車５、第１歯車３と第２歯車５とを間接的に噛合する第３歯車６、およびテープ繰出手段７を備え、かつケース本体１内の前部には、転写ヘッド支持部材８および保護カバー９を備えている。
【００１８】
ケース本体１は、前端が開口１０するとともに、その後部の内側壁には、供給リール２が装着される第１歯車３の支軸１１と、巻取リール４が装着される第２歯車５の支軸１２と、第１歯車３と第２歯車５とを間接的に噛合する第３歯車６の支軸１３とが設けられている。
【００１９】
転写ヘッド支持部材８は、図２、図４に示すように、ケース本体１内の前部に保持されており、その前端には、テープガイド部材１４に取り付けた転写ヘッド１５が設けられている。この転写ヘッド１５は、転写ヘッド支持部材８の前端部８ａと共にケース本体１の前端における開口１０から突出させてあり、その前端には、左右方向の両端を軸支した転写ローラ１６が回転自在に取付けられている。
【００２０】
保護カバー９は、ケース本体１内の前部に摺動自在に嵌合し、かつ合成樹脂によって円筒状に形成された胴部１７と、この胴部１７の下端から前方に向けて延出され、その前端部を開口１０から突出させて、その左右両側壁１８ａ，１８ａにより転写ヘッド１５を外側から保護しうるようにした断面樋状の保護杆１８と、この保護杆１８と前記胴部１７との境界部に形成された前方に向けて下降傾斜する摺接面１９とにより構成されている。
【００２１】
保護カバー９は、ケース本体１内の前部における胴部１７の後方に収容されたコイルばね２０によって、前向きに付勢されており、不使用時には、転写ヘッド１５の左右側面を覆う状態の前進位置に維持されているとともに、使用開始時には、駆動手段２１を操作することにより、前記前進位置から、転写ヘッドを露出させる状態の後退位置に向けて移動しうるようになっている。
【００２２】
駆動手段２１は、ケース本体１の前端部外周に上方に向けて突出させて設けた上下動自在な押込み部材２２を備え、この押込み部材２２の下端部２２ａを、保護カバー９に形成した摺接面１９に摺接しうるように配置してある。
図６に示すように、使用開始時に、押込み部材２２を下方へ押込むと、その下端部２２ａが保護カバー９の摺接面１９を押圧するように摺接して下降し、保護カバー９を後退位置に移動させるとともに、この保護カバー９の移動に連動して、後記のテープ繰出手段７が作動し転写テープＴを転写ヘッド１５に向けて繰り出し得るようになっている。
【００２３】
テープ繰出手段７は、保護カバー９における胴部１７の前後方向の移動に連動する作動杆２３と、この作動杆２３の前後方向の移動に連動するラック２４と、このラック２４に噛合するピニオン２５と、このピニオン２５を前後方向に移動可能にし、かつ供給リール２が装着される第１歯車３に噛合しうるように接離させる長孔２６とを備えている。
【００２４】
ピニオン２５は、図４に示すように、不使用時における保護カバー９の前進位置において、ラック２４に噛合するとともに、図６に示すように、使用開始時の保護カバー９の後退時におけるラック２４の移動によって、供給リール２が装着されている第１歯車３に噛合しうるように移動可能となっている。
【００２５】
ピニオン２５は、図６に示す使用開始時の保護カバー９の後退に伴う第１歯車３への噛合状態から、第１歯車３との噛合により、供給リール２を回転させ、この供給リール２に巻回された転写テープＴを、ピニオン２５の回転分に応じた長さだけ繰り出すようになっている。
一方、図８に示す保護カバー９の後退位置では、ピニオン２５は、ラック２４から離脱して空転しうるようになっており、ラック２４からの離脱後には、長孔２６の案内により、第１歯車３から、保護カバー９が前進位置にあるときに、ピニオン２５が位置していた元の位置に向けて離脱しうるようになっている。
これにより、ピニオン２５は、保護カバー９の後退位置への移動時に、ラック２４と第１歯車３に噛合し、保護カバー９の前進位置への移動時には、第１歯車３と噛合しないようにしてある。
【００２６】
転写テープＴは、供給リール２から、第１ガイドピン２７、転写ヘッド１５の転写ローラ１６および第２ガイドピン２８を経由して、巻取ローラ４に巻き取られるようになっている。
【００２７】
次に、本発明における塗膜転写具の操作手順を説明する。
図２，図４に示すように、不使用時には、保護カバー９は、ケース本体１内の前部における胴部１７の後方に収容されたコイルばね２０によって、ケース本体１の前端における開口１０から前方へ突出するように付勢されており、保護杆１８の前端部における左右の側壁１８ａ，１８ａによって、転写ヘッド１５の左右側面を覆う状態の前進位置に維持されている。
【００２８】
使用開始時には、図５，図６に示すように、駆動手段２１の押込み部材２２を、図示しない指先で下方へ押込んで、その下端部２２ａを保護カバー９の摺接面１９を押圧するように摺接させて下降させることにより、保護カバー９を後退位置に向けて移動させ、転写ヘッド１５の一部を半露出させる。
このとき、テープ繰出手段７におけるピニオン２５は、保護カバー９の後退により、作動杆２３を介して後退するラック２４と連動して後方に移動し、第１歯車３に噛合し、ラック２４の更なる後退で回転し、第１歯車３を回転させる。
これにより、供給リール２に巻回された転写テープＴは、ピニオン２５による回転分に応じた長さが自動的に繰り出されて、転写ヘッド１５の転写ロール１６上に供給される。
そのため、使用開始時に、転写ロール１６上に、塗膜が保持された転写テープＴを位置させることができ、塗膜切れを防止することができる。
【００２９】
図７，図８に示すように、押込み部材２２を更に下方へ押込んで、その下端部２２ａを保護カバー９の摺接面１９を押圧するように摺接させて下降させ、保護カバー９を後退位置に移動させると、転写ヘッド１５は、保護カバー９から完全に露出するとともに、ピニオン２５は、ラック２４から離脱して空転する。
転写ヘッド１５を、図８における矢印方向にスライドさせると、転写テープＴと紙面Ｐとの間に生じる摩擦抵抗により、転写テープＴを、供給リール２から引き出し、紙面Ｐ上に、糊や修正膜等の塗膜を転写することができる。
【００３０】
転写後の転写テープＴは、第３歯車６および第２歯車５を介して、第１歯車３と同期回転する巻取ローラ４に巻き取られるとともに、ラック２４から離脱したピニオン２５は、自重により、第１歯車３から離間して、保護カバー９が前進位置にあるときに、ピニオン２５が位置していた元の位置に向けて復帰する。
なお、ピニオン２５は、スプリング等の付勢力により、元の位置に復帰しうるようにしてもよい。
【００３１】
転写後、押込み部材２２から指先を離すと、押込み部材２２の押圧状態が開放され、コイルばね２０の付勢力により、保護カバー９の前方への移動と共に摺接面１９に摺接した押込み部材２２が押し上げられ、押込み部材２２は、図４に示す、押込み前の元の位置に復帰する。同時に、保護杆１８もまた元の前進位置に移動し、転写ヘッド１５を覆い、転写テープＴを保護する。
【図面の簡単な説明】
【００３２】
【図１】本発明の一実施形態における塗膜転写具の不使用時の転写ヘッドの保護状態を示す斜視図である。
【図２】同じく、一部破断して示す斜視図である。
【図３】同じく、下から見上げた状態の斜視図である。
【図４】同じく、縦断側面図である。
【図５】使用開始時における転写ヘッドの半露出状態での転写テープの繰出し状態を示す斜視図である。
【図６】同じく、縦断側面図である。
【図７】使用時における転写ヘッドの露出状態を示す斜視図である。
【図８】同じく、縦断側面図である。
【符号の説明】
【００３３】
１    ケース本体
２    供給リール
３    第１歯車
４    巻取リール
５    第２歯車
６    第３歯車
７    テープ繰出手段
８    転写ヘッド支持部材
９    保護カバー
１０  開口
１１  供給リール用支軸
１２  巻取リール用支軸
１３  支軸
１４  テープガイド部材
１５  転写ヘッド
１６  転写ローラ
１７  胴部
１８  保護杆
１８ａ  側壁
１９  摺接面
２０  コイルばね
２１  駆動手段
２２  押込み部材
２２ａ  下端部
２３  作動杆
２４  ラック
２５  ピニオン
２６  長孔
２７  第１ガイドピン
２８  第２ガイドピン
Ｐ    紙面（被転写面）
Ｔ    転写テープ
【図１】
2008087426.tif 000003
【図２】
2008087426.tif 000004
【図３】
2008087426.tif 000005
【図４】
2008087426.tif 000006
【図５】
2008087426.tif 000007
【図６】
2008087426.tif 000008
【図７】
2008087426.tif 000009
【図８】
2008087426.tif 000010